(57)【要約】【課題】受信機が移動してチャンネル配置が変化した場合に、この受信機に対して移動先のチャンネル配置を自動的に設定する。【解決手段】ＧＰＳ／ＦＭ多重受信機２は、本受信機による受信地域が変更されたことを、ＣＰＵ２３で検知し、受信したＧＰＳまたはＦＭ多重放送の受信信号から変更になった受信地域を割り出すとともに、この受信地域に対応した新しいチャンネル配置データをＲＯＭ２４から取得し、この変更後の新しいチャンネル配置データをＩ／Ｏ−ＩＦ（２５）を介してデジタル放送受信機１側のＥ２Ｐ−ＲＯＭ（１６）に送出し、この変更後の新しいチャンネル配置データでもってＥ２Ｐ−ＲＯＭ（１６）に記憶されているチャンネル配置データ（プリセットデータ）を更新する。【選択図】      図１
2005026769.tif 000002
【特許請求の範囲】
【請求項１】
ユーザーにより設定される地域コードに対応したチャンネル配置を設定する手段を備えた地上波デジタル放送の受信装置において、
受信地域の変更を検知する受信地域変更検知手段と、
前記受信地域変更検出手段により前記受信地域の変更が検出された時に、前記変更後の受信地域を割り出すとともに、前記変更後の受信地域に対応するチャンネル配置データを取得する受信地域識別手段と、
前記受信地域識別手段により取得された前記チャンネル配置データに基づいて、チャンネル配置を設定するチャンネル配置再設定手段と、
を備えたことを特徴とする地上波デジタル放送の受信装置。
【請求項２】
前記受信地域変更検出手段は、前記受信地域の変更を、ＧＰＳまたはＦＭ多重放送の受信信号により検知することを特徴とする請求項１記載の地上波デジタル放送の受信装置。
【請求項３】
前記受信地域変更検出手段は、前記ＧＰＳまたは前記ＦＭ多重放送の受信信号を所定の一定周期で監視するとともに、前記受信信号の信号レベルの変化から前記受信地域の変更を検知することを特徴とする請求項２記載の地上波デジタル放送の受信装置。
【請求項４】
前記受信地域変更検出手段は、前記ＧＰＳまたは前記ＦＭ多重放送受信用のコンピュータシステムを使用することを特徴とする請求項２または請求項３記載の地上波デジタル放送の受信装置。
【請求項５】
受信地域識別手段は、前記変更後の受信地域を、前記ＧＰＳまたは前記ＦＭ多重放送の受信信号により割り出すことを特徴とする請求項１記載の地上波デジタル放送の受信装置。
【請求項６】
前記受信地域識別手段は、前記ＧＰＳまたは前記ＦＭ多重放送受信用のＣＰＵを使用することを特徴とする請求項５記載の地上波デジタル放送の受信装置。
【請求項７】
ユーザーにより設定された地域コードに対応するチャンネル配置を設定する手段を備えた地上波デジタル放送の受信方法において、
受信地域の変更を検知する受信地域変更検知ステップと、
前記受信地域変更検出ステップにより前記受信地域の変更が検出された時に、前記変更後の受信地域を割り出すとともに、前記変更後の受信地域に対応するチャンネル配置データを取得する受信地域識別ステップと、
前記受信地域識別ステップにより取得された前記チャンネル配置データに基づいて、チャンネル配置を設定するチャンネル配置再設定ステップと、
を備えたことを特徴とする地上波デジタル放送の受信方法。
【発明の詳細な説明】
【０００１】
【発明の属する技術分野】
本発明は地上波デジタル放送の受信装置及び地上波デジタル放送の受信方法に係り、特に、テレビやラジオなどの地上波デジタル放送の受信に際して、チャンネル配置を受信地域に合わせて自動的に再設定することができる地上波デジタル放送の受信装置及び地上波デジタル放送の受信方法に関する。
【０００２】
【従来の技術】
従来、テレビジョン放送はアナログ放送が中心であったが、この分野でもデジタル化の時代を迎え、近年に至って地上波デジタル放送機器のデジタル化の進歩・普及は目覚しい発展を遂げている。現在では、衛星放送のデジタル化も既に実施され、引き続き、地上波のデジタル化が予定されている。この地上波のデジタル化が実現すると、放送側が提供するコンテンツを現在よりも多様化することが可能となり、また、受信側の受信機も、機能が一層高度化する。また、地上波がデジタル化された場合の波及効果として、デジタル放送受信機がモバイル化することも予想される。
【０００３】
現在、デジタル放送は、前述のとおり、衛星放送において既に一般化されているが、この衛星放送の受信には衛星受信用パラボラアンテナが必要であり、アンテナの向きなどを固定する必要があった。これに対し、地上波では、小型装置の携行や、車載といった形で、移動しながらの視聴が可能となるが、この際に、視聴する地域によってチャンネル配置が異なっていることが問題となる。
【０００４】
なお、この場合のチャンネル配置とは、例えば、テレビのリモコンでユーザーがチャンネル１を押した時の受信放送（放送局）や、チャンネル２を押したときの受信放送（放送局）のことであり、ユーザーが実際にテレビのリモコンでコントロールできる放送の配置を指す。例えば、現在の地上波放送では、ＮＨＫのチャンネル配置は、一般に、関東では１ｃｈ（チャンネル）、関西では２ｃｈとなっている（以下、チャンネル配置を設定するとは、この放送局毎に定められている受信地域毎のチャンネル番号と、その送信周波数を受信機に設定することを意味するものとする）。
【０００５】
テレビ購入後の最初の設置時点などでは、ユーザーが地域コードを入力することにより、ある程度のチャンネル配置を設定することができるが、その後、引越しなどで受信地域が変わる度に、このチャンネル配置の設定をやり直す必要があり、特に、モバイルや、車載等の移動を伴う受信装置では、チャンネル配置が変更されている地域の境界を通過する度に、チャンネル配置の設定をやり直すことが必要となる。
【０００６】
従来の地上波デジタル放送の受信機としては、例えば図３に示すようなものがある。
図３は、従来の地上波デジタル放送の受信装置の全体構成を示す構成図である。
同図において、従来の地上波デジタル放送の受信装置（デジタル放送受信機９）は、受信機に搭載され選局動作を行なうマイコンのＣＰＵ９１と、各地域毎のチャンネルプリセットデータが書き込まれたデータ読み出し専用メモリであるＲＯＭ９２と、ＣＰＵ９１の周辺ブロックと他ブロックを結ぶインターフェースを担うＩ／Ｏ−ＩＦ（９３）と、作業用メモリであるＲＡＭ９４と、チューナ９５と、視聴者が設定したデータを格納する不揮発性メモリ（Ｅ２−ＰＲＯＭ  ）であるＥ２Ｐ−ＲＯＭ（９６）とを具備する。
【０００７】
以下、図３に示す従来の地上波デジタル放送の受信装置の動作を説明する。
視聴者であるユーザーが、メニュー等のチャンネル設定画面から、地域コード等を設定する操作を行うと、ＣＰＵ９１は、地域毎のチャンネルプリセットデータが書き込まれたＲＯＭ９２の記憶内容から、選択された地域コードと一致する地域のチャンネルプリセットデータを読み出し、不揮発性メモリであるＥ２Ｐ−ＲＯＭ（９６）に書き込む。
【０００８】
ユーザーがダイレクト選局ボタンを押した場合は、ＣＰＵ９１は、選択されたダイレクト選局ボタンに割り振られた放送局の周波数値を、不揮発性メモリであるＥ２Ｐ−ＲＯＭ（９６）から読み出してチューナ９５に設定し、これにより、選局が完了する。但し、処理を高速化するために、前述のダイレクト選局ボタンに割り振られた放送局の周波数値を、予め作業用メモリであるＲＡＭ９４に格納しておき、このＲＡＭ９４から読み出すように構成された装置もある。
【０００９】
図４は、従来の地上波デジタル放送の受信装置を使用する場合の処理手順を示すフローチャートである。
受信機の購入後、ユーザーは、受信機を使用する地域の地域コードを受信機に入力する（ステップＸ１）。これにより、受信機のＣＰＵ９１は、前記入力された地域コードと一致する地域のチャンネルプリセットデータ（テーブル形式）をＲＯＭ９２から読み出す（ステップＸ２）。次に、ＣＰＵ９１は、前記入力された地域コード、若しくはＲＯＭ９２から読み出した前記チャンネルプリセットデータを、不揮発性メモリであるＥ２Ｐ−ＲＯＭ（９６）に書き込む（ステップＸ３）。
【００１０】
通常視聴時は、このＥ２Ｐ−ＲＯＭ（９６）に書き込まれたデータを基にチャンネルが設定され、チューナ９５が、この設定されたチャンネルでもって選局を行ない、これにより視聴者は、前記設定されたチャンネルの放送を視聴することができる（ステップＸ４）。
【００１１】
しかし、ここで、現在の地域に対応したチャンネルプランに変更する必要がある場合は、ユーザーによって新しいチャンネルプランに基づくチャンネル配置の設定（再設定）が行われる（ステップＸ５）。けれども、読み出し専用メモリであるＲＯＭ９２に保存されているチャンネルテーブルは変更できないために、変更後の前記新しいチャンネルプランデータを視聴者が入手し、手動で設定を書き換える（ステップＸ６）。次に、チューナ９５が、この書き換えられたチャンネルデータでもって選局を行なう（ステップＸ６）。これにより、視聴者は、初めてこの地域での放送を視聴することができることになる。
【００１２】
【発明が解決しようとする課題】
ところで、上記従来の地上波デジタル放送の受信装置にあっては、ユーザーの受信機購入時等におけるチャンネル設定が、ユーザーの受信機使用地域において手動で容易に行えるように設計されていることが要求される。しかし、一度設定された状態は、受信機によって自動的には変更されないので、受信機自体が移動して前述のチャンネル配置が変化する場合には、この移動の都度、ユーザーは、手動により、受信機にチャンネル配置を再設定することが必要となるという問題点があった。
【００１３】
特に、地上波デジタル放送が開始されることによって移動しながらの受信が可能となり、チャンネル配置を再設定すべき場合が増加することが推測される。
元々、受信機が装備している各地域毎のチャンネルプリセットデータは、例えば、図３に示す受信機の場合、マイコン用のメモリであるＲＯＭ９２に格納されているので、書き換えができないという問題点があった。
【００１４】
このため、従来技術のままでは、地上波デジタル放送が開始された時点で、移動先の地域のチャンネル配置が移動前のチャンネル配置と異なる場合には、既存の受信機では、ユーザーが手動でチャンネル設定の変更処理を行わなければならないという問題点があった。
より具体的には、このチャンネル設定の変更処理には、リモコンのダイレクト選局ボタンに対応して記憶されている全ての設定を、逐一手動で変える面倒な作業がユーザーに対して要求されることになり、視聴者であるユーザーにとっては大変な負担となるという問題点があった。
【００１５】
長距離運転などで変更されるチャンネル配置が多い場合、ユーザーは、その都度、前記の面倒な手動でのチャンネル設定を行う必要があり、この作業は、具体的には、移動先の地域で受信可能な放送のひとつ一つについて、ユーザーが逐一手動で設定する作業となるので、その作業量は大変大きいことになる。
【００１６】
本発明は、上記従来の問題点に鑑みてなされたものであって、受信機が移動してチャンネル配置が変化した場合に、この受信機に対して移動先のチャンネル配置を自動的に設定することができる地上波デジタル放送の受信装置を提供することを目的としている。
【００１７】
本発明の他の目的は、受信機が移動してチャンネル配置が変化した場合に、この受信機に対して移動先のチャンネル配置を自動的に設定することができる地上波デジタル放送の受信方法を提供することにある。
【００１８】
【課題を解決するための手段】
上記課題を解決するために、本発明に係る地上波デジタル放送の受信装置は、ユーザーにより設定される地域コードに対応したチャンネル配置を設定する手段を備えた地上波デジタル放送の受信装置において、受信地域の変更を検知する受信地域変更検知手段と、前記受信地域変更検出手段により前記受信地域の変更が検出された時に、前記変更後の受信地域を割り出すとともに、前記変更後の受信地域に対応するチャンネル配置データを取得する受信地域識別手段と、前記受信地域識別手段により取得された前記チャンネル配置データに基づいて、チャンネル配置を設定するチャンネル配置再設定手段とを備えたことを特徴とする。
このように構成することにより、受信機が移動してチャンネル配置が変化した場合に、移動先の地域のチャンネル配置を、前記受信機に対して自動的に設定することができる地上波デジタル放送の受信装置を実現することができる。
【００１９】
また、前記受信地域変更検出手段は、前記受信地域の変更を、ＧＰＳまたはＦＭ多重放送の受信信号により検知する。
このように構成することにより、前記受信地域の変更を、既成のカーナビシステム（以下、ＧＰＳ信号、ＦＭ多重放送、ＶＩＣＳデータ等の情報を受信するものとする）を使用して検知することができるので、装置のコストアップを抑えることができる。
【００２０】
また、前記受信地域変更検出手段は、前記ＧＰＳまたは前記ＦＭ多重放送の受信信号を所定の一定周期で監視するとともに、前記受信信号の信号レベルの変化から前記受信地域の変更を検知する。
このように構成することにより、前記受信地域の変更を、既成のカーナビシステムを簡単に使用して検知することができるので、装置のコストアップを抑えることができる。
【００２１】
また、前記受信地域変更検出手段は、前記ＧＰＳまたは前記ＦＭ多重放送受信用のコンピュータシステムを使用することができる。
このように構成することにより、前記受信地域変更検出手段を、既成のカーナビシステム用のコンピュータシステムを使用して構成することができるので、装置のコストアップを抑えることができる。
【００２２】
また、受信地域識別手段は、前記変更後の受信地域を、前記ＧＰＳまたは前記ＦＭ多重放送の受信信号により割り出す。
このように構成することにより、前記変更後の受信地域を、既成のカーナビシステムを使用して割り出すことができるので、装置のコストアップを抑えることができる。
【００２３】
さらに、前記受信地域識別手段は、前記ＧＰＳまたは前記ＦＭ多重放送受信用のＣＰＵを使用することができる。
このように構成することにより、前記受信地域識別手段を、既成のカーナビシステム用のコンピュータシステムを使用して構成することができるので、装置のコストアップを抑えることができる。
【００２４】
また、本発明に係る地上波デジタル放送の受信方法は、ユーザーにより設定された地域コードに対応するチャンネル配置を設定する手段を備えた地上波デジタル放送の受信方法において、受信地域の変更を検知する受信地域変更検知ステップと、前記受信地域変更検出ステップにより前記受信地域の変更が検出された時に、前記変更後の受信地域を割り出すとともに、前記変更後の受信地域に対応するチャンネル配置データを取得する受信地域識別ステップと、前記受信地域識別ステップにより取得された前記チャンネル配置データに基づいて、チャンネル配置を設定するチャンネル配置再設定ステップとを備えたことを特徴とする。
このように構成することにより、受信機が移動してチャンネル配置が変化した場合に、移動先の地域のチャンネル配置を、前記受信機に対して自動的に設定することができる地上波デジタル放送の受信方法を実現することができる。
【００２５】
【発明の実施の形態】
以下、本発明の地上波デジタル放送の受信装置の実施の形態について、図面を参照して詳細に説明する。
なお、この実施形態の説明では、本発明に係る地上波デジタル放送の受信装置について詳述するが、本発明に係る地上波デジタル放送の受信方法については、地上波デジタル放送の受信装置として実現する方法であることから、当該地上波デジタル放送の受信方法に関する説明は以下の説明に含まれる。
【００２６】
図１は、本発明の実施形態に係る地上波デジタル放送の受信装置の全体構成を示す構成図である。
同図において、本実施形態の地上波デジタル放送の受信装置は、デジタル放送受信機１と、ＧＰＳ（Ｇｌｏｂａｌ  Ｐｏｓｉｔｉｏｎｉｎｇ  Ｓｙｓｔｅｍ）／ＦＭ多重受信機２とを備える。
【００２７】
デジタル放送受信機１は、受信機に搭載され選局動作を行なうマイコンのＣＰＵ１１と、各地域毎のチャンネルプリセットデータが書き込まれたデータ読み出し専用メモリであるＲＯＭ１２と、ＣＰＵ１１の周辺ブロックと他ブロックを結ぶインターフェースを担うＩ／Ｏ−ＩＦ（１３）と、作業用メモリであるＲＡＭ１４と、チューナ１５と、視聴者が設定したデータを格納する不揮発性メモリであるＥ２Ｐ−ＲＯＭ（１６）とを備える。
【００２８】
ＧＰＳ／ＦＭ多重受信機２は、ＧＰＳの電波またはＦＭ多重放送の電波を受信するためのＧＰＳまたはＦＭ多重アンテナ２１と、ＧＰＳの電波またはＦＭ多重放送の電波を選局するＧＰＳまたはＦＭ多重チューナ２２と、ＧＰＳまたはＦＭ多重チューナ２２用のマイコンであるＣＰＵ２３と、各地域毎のチャンネル配置データ（地域毎に割り当てらたテーブル形式のチャンネル配置情報）が書き込まれたデータ読み出し専用メモリであるＲＯＭ２４と、ＣＰＵ２３の周辺ブロックと他ブロックを結ぶインターフェースを担うＩ／Ｏ−ＩＦ（２５）とを備える。
【００２９】
デジタル放送受信機１のＲＯＭ１２には、本受信機の出荷先に対応したチャンネル配置データを格納しておくことができる。
ＧＰＳ／ＦＭ多重受信機２は、ＧＰＳ信号、ＦＭ多重放送、ＶＩＣＳデータ等のカーナビゲーションシステムに利用される情報を受信することができるものとする。
また、ＧＰＳ／ＦＭ多重受信機２のＲＯＭ２４には、ユーザーが本受信機を携帯して移動することが想定される十分な範囲の地域に対応したチャンネル配置データを格納しておくことができる。
【００３０】
また、ＲＯＭ２４は、ＧＰＳまたはＦＭ多重チューナ２２に元々付属していたメモリであってもよいし、別個に設けたメモリであってもよいものとする。
なお、ＧＰＳ／ＦＭ多重受信機２のＣＰＵ２３、ＲＯＭ２４、及びＩ／Ｏ−ＩＦ（２５）は、元々は、ＧＰＳまたはＦＭ多重放送を受信するためのコンピュータシステムである。
【００３１】
以下、本実施形態の地上波デジタル放送の受信装置が有する各構成要素について説明する。
視聴者であるユーザーが、メニュー等のチャンネル設定画面から、地域コード等を設定すると、マイコンのＣＰＵ１１によって読み出し専用メモリのＲＯＭ１２内の地域毎のチャンネル配置データ（チャンネルプリセットデータ）が読み出されて不揮発性メモリのＥ２Ｐ−ＲＯＭ（１６）に書き込まれる。また、この書き込みと共に、ＧＰＳまたはＦＭ多重チューナ２２用のマイコンであるＣＰＵ２３にも前記設定された地域コードが送られる。
【００３２】
ユーザーがダイレクト選局ボタンを押した場合、ＣＰＵ１１は、選択されたダイレクト選局ボタン（ユーザーが押下した選局ボタン）に割り振られた放送局の周波数値を、前述のチャンネル配置データが書き込まれているＥ２Ｐ−ＲＯＭ（１６）から読み出してチューナ１５に設定し、これにより、選局が完了する。但し、処理を高速化するために、前述のダイレクト選局ボタンに割り振られた放送局の周波数値を、予め作業用メモリであるＲＡＭ１４に格納しておき、このＲＡＭ１４から読み出すように構成することも可能である。
【００３３】
一方、デジタル放送受信機１とセットにして構成されているＧＰＳ／ＦＭ多重受信機２は、ＦＭ多重放送を受信しているが、ここで、本受信装置の移動後における受信など、本受信機による受信地域が変更になった場合は、受信地域が変更されたことを、ＧＰＳまたはＦＭ多重チューナ２２用のマイコンであるＣＰＵ２３が検知し（受信地域変更検知手段）、受信したＧＰＳまたはＦＭ多重放送の受信信号から変更になった受信地域を割り出す（受信地域識別手段）。
【００３４】
また、この受信地域に対応した新しいチャンネル配置データをＲＯＭ２４から取得し、この変更後の新しいチャンネル配置データをＩ／Ｏ−ＩＦ（２５）を介してデジタル放送受信機１側のＥ２Ｐ−ＲＯＭ（１６）に送出し、この変更後の新しいチャンネル配置データでもってＥ２Ｐ−ＲＯＭ（１６）に記憶されているチャンネル配置データ（プリセットデータ）を更新する（チャンネル配置再設定手段）。
【００３５】
なお、各地域に固有の前記チャンネル配置情報は、ＦＭ多重放送を受信するＧＰＳまたはＦＭ多重チューナ２２により取得し、この情報をＣＰＵ２３によってデータとして蓄積し、Ｉ／Ｏ−ＩＦ（２５）を介してデジタル放送受信機１側に送出することも可能である。
【００３６】
また、チューナ１５の受信感度（受信信号の信号レベル）を、所定の一定の周期（時間間隔）で、ＦＭ多重チューナ２２用のＣＰＵ２３が監視し、この受信感度の状態の変化から、本受信機が移動中であることを検知し、本受信機の移動後に、受信感度が視聴可能な信号レベルに達した時点で現在受信地域を特定し、この特定された現在受信地域に応じたチャンネル配置データに基づくチャンネルデータをＲＯＭ２４より取得し、Ｉ／Ｏ−ＩＦ（２５）を介してデジタル放送受信機１側のＥ２Ｐ−ＲＯＭ（１６）に送出し、このチャンネルデータでもって記憶されているデータ（プリセットデータ）を更新することができる。
【００３７】
図２は、本発明の実施形態に係る地上波デジタル放送の受信装置を使用する場合の処理手順を示すフローチャートである。
以下、図１を参照し、図２のフローチャートを使用して、本実施形態に係る地上波デジタル放送の受信装置を使用する場合の処理手順を説明する。
まず、ユーザーは、本受信機を最初に使用する時に、本受信機を使用する地域の地域コードなどを本受信機に入力して、地域コードの設定を行なう（ステップＳ１）。
【００３８】
これにより、デジタル放送受信機１のＣＰＵ１１は、前記入力された地域コードと一致する地域のチャンネルプリセットデータ（テーブル形式）をＲＯＭ１２より読み出す（ステップＳ２）。次に、ＣＰＵ１１は、前記設定された地域コード、若しくは前記読み出したチャンネルプランデータをユーザー設定データとしてＥ２Ｐ−ＲＯＭ（１６）に格納する（ステップＳ３）。なお、この格納と同時にＧＰＳまたはＦＭ多重チューナ２２用のマイコンであるＣＰＵ２３にも前記設定された地域コードが送られる。
【００３９】
通常視聴時は、ＣＰＵ１１が、前記格納されたＥ２Ｐ−ＲＯＭ（１６）内のデータを基にチャンネルを設定し、チューナ１５に選局を行わせしめ、これにより、ユーザーは、放送を視聴することができる（ステップＳ４）。
なお、ＣＰＵ１１は、前記選局と同時に、現在の地域に対応したチャンネル配置データを前記チャンネルプリセットデータより取得し、このデータに基づいて本装置にチャンネル配置を設定する（ステップＳ５）。
【００４０】
ここで、本装置の移動などが生じた場合には、本装置の受信地域も変更されることになる（ステップＳ６）。この場合、受信地域が変更されたことを、ＧＰＳまたはＦＭ多重チューナ２２用のマイコンであるＣＰＵ２３が検知し、受信したＧＰＳまたはＦＭ多重放送の受信信号から変更になった受信地域を割り出すとともに、この受信地域に対応した新しいチャンネル配置データをＲＯＭ２４より取得する（ステップＳ７）。
【００４１】
次に、ＣＰＵ２３は、前記取得した変更後の新しいチャンネル配置データを、Ｉ／Ｏ−ＩＦ（２５）を介してデジタル放送受信機１側のＥ２Ｐ−ＲＯＭ（１６）に送出し、このチャンネル配置データでもってＥ２Ｐ−ＲＯＭ（１６）に記憶されているチャンネル配置データ（プリセットデータ）を更新する。これにより、新しいチャンネル配置が本受信機に設定される（ステップＳ８）。
【００４２】
なお、これにより、ユーザーは、前記新しいチャンネル配置に基づいて選局することが可能となる（即ち、ユーザーがダイレクト選局ボタンを押した場合は、ＣＰＵ１１は、選択されたダイレクト選局ボタンに割り振られた放送局の周波数値を、前述のチャンネル配置データが書き込まれたＥ２Ｐ−ＲＯＭ（１６）から読み出してチューナ１５に設定し、これにより、選局が完了する）。
【００４３】
この実施形態によれば、受信地域の変更の検知、及び変更後の新しい受信地域に対応するチャンネル配置の取得を、本装置でナビゲーションシステム用のＧＰＳまたはＦＭ多重放送を受信することにより自動的に行い、その後の、受信地域変更後の新しいチャンネル配置も本装置で自動的に行うので、ユーザーは、受信地域の移動に伴う面倒な手動によるチャンネル配置の再設定を行う必要がないという効果がある。
【００４４】
また、この実施形態によれば、受信地域の変更の検知、変更後の新しい受信地域に対応するチャンネル配置の取得、及び受信地域変更後の新しいチャンネル配置を行うために必要な本装置の情報処理手段として、ＧＰＳまたはＦＭ多重放送用の情報処理を担うＣＰＵ２３を利用しているので、新たなＣＰＵを設置する必要がなく、装置の構成を簡単化することができる効果がある。
【００４５】
なお、本発明に係る地上波デジタル放送の受信装置の各構成要素の処理の少なくとも一部をコンピュータ制御により実行するものとし、かつ、上記処理を、図２のフローチャートの一部で示した手順によりコンピュータに実行せしめるプログラム等は、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【００４６】
【発明の効果】
以上説明したように、本発明の地上波デジタル放送の受信装置によれば、ユーザーにより設定される地域コードに対応したチャンネル配置を設定する手段を備えた据え置き用及び／または携帯用の地上波デジタル放送の受信装置において、受信地域の変更を検知し、受信地域の変更が検出された時に、前記変更後の受信地域を割り出すとともに、前記変更後の受信地域に対応するチャンネル配置データを取得し、また、この取得された前記チャンネル配置データに基づいて、チャンネル配置を設定する構成としたので、受信機が移動してチャンネル配置が変化した場合に、移動先の地域のチャンネル配置を、前記受信機に対して自動的に設定することができる地上波デジタル放送の受信装置を実現することができる。
【００４７】
また、前記受信地域の変更から変更後のチャンネル配置を取得するまでの一連の処理手段を、ＧＰＳ信号、ＦＭ多重放送、ＶＩＣＳデータ等を受信する既成のカーナビシステムを使用して構成することができるので、装置のコストアップを抑えることができる。
【図面の簡単な説明】
【図１】本発明の実施形態に係る地上波デジタル放送の受信装置の全体構成を示す構成図である。
【図２】本発明の実施形態に係る地上波デジタル放送の受信装置を使用する場合の処理手順を示すフローチャートである。
【図３】従来の地上波デジタル放送の受信装置の全体構成を示す構成図である。
【図４】従来の地上波デジタル放送の受信装置を使用する場合の処理手順を示すフローチャートである。
【符号の説明】
１  デジタル放送受信機
２  ＧＰＳ／ＦＭ多重受信機
１１，２３  ＣＰＵ
１２，２４  ＲＯＭ
１３，２５  Ｉ／Ｏ−ＩＦ
１５  チューナ
１６  Ｅ２Ｐ−ＲＯＭ
【図１】
2005026769.tif 000003
【図２】
2005026769.tif 000004
【図３】
2005026769.tif 000005
【図４】
2005026769.tif 000006